(57)【要約】【課題】一対のハウジングを確実に嵌合状態に保持することが可能なコネクタを提供する。【解決手段】一方のハウジング２０に設けられたロックアーム２１が撓むことで、このロックアーム２１に設けられた係止部２２と他方のハウジング６０に設けられたロック部６１とが係止して一対のハウジング２０，６０が嵌合状態に保持されるとともにロックアーム２１が撓むことで係止部２２とロック部６１との係止が外れて一対のハウジング２０，６０が離脱可能となるロック機構と、一対のハウジング２０，６０のうちいずれかのハウジング２０に組み付けられ、ロックアーム２１の撓みを制限する位置と、ロックアーム２１の撓みを許容する位置とに移動可能とされたスライダ５０と、スライダ５０とロックアーム２１との間におけるロックアーム２１の撓み方向と平行な方向の隙間を埋めるがた詰め部４６と、を備えている。【選択図】図１５
2015201263.tif 000002
【特許請求の範囲】
【請求項１】
互いに嵌合可能な一対のハウジングのうち一方のハウジングに設けられたロックアームが撓むことで、このロックアームに設けられた係止部と他方のハウジングに設けられたロック部とが係止して前記一対のハウジングが嵌合状態に保持されるとともに前記ロックアームが撓むことで前記係止部と前記ロック部との係止が外れて前記一対のハウジングが離脱可能となるロック機構と、
前記一対のハウジングのうちいずれかのハウジングに組み付けられ、前記ロックアームの撓みを制限する位置と、前記ロックアームの撓みを許容する位置とに移動可能とされたスライダと、
前記スライダと前記ロックアームとの間における前記ロックアームの撓み方向と平行な方向の隙間を埋めるがた詰め部と、
を備えたコネクタ。
【請求項２】
前記がた詰め部が、前記ハウジングのうち前記スライダの組み付け方向の前方に位置する部分に設けられている請求項１に記載のコネクタ。
【請求項３】
前記がた詰め部が、前記係止部と前記ロック部とが係止する位置の近傍に設けられている請求項１または請求項２に記載のコネクタ。
【請求項４】
前記スライダが、前記ハウジングに対して後方から組み付けられるものとされ、
前記スライダと前記ハウジングとには、前後方向に係止することで前記スライダが前記ハウジングから後方に離脱することを防ぐ離脱防止構造が設けられ、
前記がた詰め部が、前記離脱防止構造の側方に設けられている請求項１ないし請求項３のいずれか一項に記載のコネクタ。
【発明の詳細な説明】
【技術分野】
【０００１】
本発明は、コネクタに関する。
【背景技術】
【０００２】
従来、一対のハウジングを嵌合状態に保持するロック機構として、一方のハウジングに撓み可能なロックアームが設けられ、他方のハウジングとの嵌合時には、このロックアームが撓むことで、ロックアームに設けられた係止部が他方のハウジングに設けられたロック部に係止する構成とされたものが知られている。このロック機構においては、嵌合状態にロックされた一対のハウジングを離脱する際には、ロックアームを撓ませることで、係止部とロック部との係止を解除するものとされている。
【０００３】
この種のロック機構を有するコネクタでは、ロック保持力を向上するべく、コネクタの嵌合状態においてロックアームの撓みを制限する構成を備えたものが知られている。例えば下記特許文献１に記載のコネクタには、ロックアームの撓みを制限する位置と、ロックアームの撓みを許容する位置とに移動可能とされたスプリングホルダが備えられている。このスプリングホルダは、一対のコネクタハウジングの嵌合作業の際には、ロックアームの撓みを許容する位置に保持され、一対のコネクタハウジングが嵌合した後には、ロックアームの撓みを制限する位置に保持される。これにより、一対のコネクタハウジングは、確実に嵌合状態に保持される。
【先行技術文献】
【特許文献】
【０００４】
【特許文献１】特許第３３０３７８２号公報
【発明の概要】
【発明が解決しようとする課題】
【０００５】
しかしながら、上記のような構成のコネクタにおいては、ロックアームとスライダとの間に少なからず隙間が存在するため、嵌合状態のコネクタハウジングが離脱方向に引っ張られると、隙間内でロックアームが若干撓む可能性がある。ロックアームが撓むと、係止部とロック部との係り代が小さくなるため、万一にも嵌合状態においてロックが解除されることのないよう対策が望まれていた。
【０００６】
本発明は上記のような事情に基づいて完成されたものであって、一対のハウジングを確実に嵌合状態に保持することが可能なコネクタを提供することを目的とする。
【課題を解決するための手段】
【０００７】
本発明のコネクタは、互いに嵌合可能な一対のハウジングのうち一方のハウジングに設けられたロックアームが撓むことで、このロックアームに設けられた係止部と他方のハウジングに設けられたロック部とが係止して前記一対のハウジングが嵌合状態に保持されるとともに前記ロックアームが撓むことで前記係止部と前記ロック部との係止が外れて前記一対のハウジングが離脱可能となるロック機構と、前記一対のハウジングのうちいずれかのハウジングに組み付けられ、前記ロックアームの撓みを制限する位置と、前記ロックアームの撓みを許容する位置とに移動可能とされたスライダと、前記スライダと前記ロックアームとの間における前記ロックアームの撓み方向と平行な方向の隙間を埋めるがた詰め部と、を備えたものである。
【発明の効果】
【０００８】
本発明によれば、スライダとロックアームとの間の隙間内でロックアームが撓むことを防ぐことができるから、一対のハウジングを確実に嵌合状態に保持することができる。
【図面の簡単な説明】
【０００９】
【図１】本実施例におけるコネクタであって、一対のハウジングの嵌合前の状態を表す平面図
【図２】一対のハウジングの嵌合前の状態を表す断面図であって、図１のＡ−Ａ位置における断面に相当する断面図
【図３】スライダが組み付けられた状態の第１ハウジングを表す断面図であって、図１のＢ−Ｂ位置における断面に相当する断面図
【図４】スライダが組み付けられた状態の第１ハウジングを表す断面図であって、図１のＣ−Ｃ位置における断面に相当する断面図
【図５】スライダが組み付けられた状態の第１ハウジングを表す背面図
【図６】第１ハウジングを表す平面図
【図７】第１ハウジングを表す正面図
【図８】スライダを表す平面図
【図９】スライダを表す側面図
【図１０】スライダを表す正面図
【図１１】一対のハウジングの嵌合後におけるスライダ移動前の状態であって、バネ部材が圧縮した様子を表す断面図
【図１２】一対のハウジングの嵌合後におけるスライダ移動前の状態であって、移動防止部から移動ストッパ部が外れた様子を表す断面図
【図１３】一対のハウジングの嵌合後におけるスライダ移動後の状態を表す平面図
【図１４】一対のハウジングの嵌合後におけるスライダ移動後の状態を表す断面図であって、図１３のＤ−Ｄ位置における断面に相当する断面図
【図１５】一対のハウジングの嵌合後におけるスライダ移動後の状態を表す断面図であって、図１３のＥ−Ｅ位置における断面に相当する断面図
【図１６】一対のハウジングの嵌合後におけるスライダ移動後の状態を表す断面図であって、図１３のＦ−Ｆ位置における断面に相当する断面図
【発明を実施するための形態】
【００１０】
本発明のコネクタは、前記がた詰め部が、前記ハウジングのうち前記スライダの組み付け方向の前方に位置する部分に設けられているものとしてもよい。このような構成によれば、ハウジングにスライダを組み付ける際に、スライダががた詰め部に接触するのは終盤のみであるから、例えば組み付け作業において終始スライダががた詰め部に接触し続ける場合に比して、スライダの組み付け作業が困難になることを防ぐことができる。
【００１１】
また、本発明のコネクタは、前記がた詰め部が、前記係止部と前記ロック部とが係止する位置の近傍に設けられているものとしてもよい。このような構成によれば、係止部とロック部とが係止する位置の近傍においてロックアームの撓み方向と平行な方向の隙間が埋められるから、より確実に一対のハウジングを嵌合状態に保持することができる。
【００１２】
また、本発明のコネクタは、前記スライダが、前記ハウジングに対して後方から組み付けられるものとされ、前記スライダと前記ハウジングとには、前後方向に係止することで前記スライダが前記ハウジングから後方に離脱することを防ぐ離脱防止構造が設けられ、前記がた詰め部が、前記離脱防止構造の側方に設けられているものとしてもよい。ここで、例えばがた詰め部が離脱防止構造の前方または後方に設けられている場合には、がた詰め部によってスライダが浮き、ひいては離脱防止構造の係止が外れて離脱してしまう虞がある。しかしながら、がた詰め部が、離脱防止構造の側方に設けられているから、そのような事態を防ぐことができる。
【００１３】
＜実施例＞
以下、本発明を具体化した一実施例について、図１〜図１６を参照しつつ詳細に説明する。
本実施例におけるコネクタＣは、互いに嵌合可能な一対のハウジング２０，６０を有し、この一対のハウジング２０，６０には、両ハウジング２０，６０を嵌合状態にロックするロック機構が備えられている。以下、各構成部材において、両ハウジング２０，６０における嵌合面側をそれぞれ前方とし、また、図２の上側を上方、下側を下方として説明する。
【００１４】
本実施例におけるロック機構は、一対のハウジング２０，６０のうち一方のハウジング（以下、第１ハウジング２０と称する）に設けられたロックアーム２１が撓むことで、このロックアーム２１に設けられた係止部２２と他方のハウジング（以下、第２ハウジング６０と称する）に設けられたロック部６１とが係止して一対のハウジング２０，６０が嵌合状態に保持されるとともにロックアーム２１が撓むことで係止部２２とロック部６１との係止が外れて一対のハウジング２０，６０が離脱可能となるものである。
【００１５】
第１ハウジング２０は合成樹脂製であって、ブロック状をなして内部に端子金具２７が収容されるハウジング本体部２３と、ハウジング本体部２３の周りを包囲する筒状をなす筒状部２４とを有している。ハウジング本体部２３と筒状部２４との間には、第２ハウジング６０のフード部６２が嵌合可能な嵌合空間２５が前方に開放して形成されている。
【００１６】
ハウジング本体部２３には、端子金具２７が後方から挿入可能とされたキャビティ２６が、複数室（本実施例では２室）横並びに配置されている（図５参照）。端子金具２７は、電線Ｗの導体部分および電線Ｗに嵌着されたゴム栓２８に圧着接続される。各キャビティ２６内に端子金具２７が正規挿入されると、各キャビティ２６に備えられたランス２９（図５および図７参照）が端子金具２７に係止し、その抜け止めを図るとともに、各キャビティ２６の後端部に嵌入されたゴム栓２８によってキャビティ２６内が液密にシールされる。
【００１７】
ハウジング本体部２３の外周面には、シールリング３１が嵌着されている。シールリング３１は、両ハウジング２０，６０の嵌合時には、嵌合空間２５に挿入されたフード部６２とハウジング本体部２３との間で弾性的に圧縮され、これによって両ハウジング２０，６０が液密にシールされる。なお、シールリング３１は、ハウジング本体部２３の前側部分に被せ付けられたフロント部材３２によって前方への抜け出しが制限される。
【００１８】
ハウジング本体部２３の外周面には、ロックアーム２１が設けられている。ロックアーム２１は、ハウジング本体部２３の上面側に設けられ、図３に示すように、ハウジング本体部２３の前後方向中央部から上方に突出する脚部３３と、脚部３３の上端から前後両方向に延出するアーム本体部３４とを有している。ロックアーム２１は、脚部３３を支点としてアーム本体部３４が上下方向に撓み可能とされている。
【００１９】
アーム本体部３４の前端部には係止部２２が下向きに突出して形成されている。また、アーム本体部３４の後端部（脚部３３よりも後側の部分）は、ロックを解除する際に下向きに押圧操作される解除操作部３５とされている。解除操作部３５を下向きに押圧操作することにより、アーム本体部３４のうち脚部３３よりも前側の部分（以下、変位部３６と称する）が上向きに変位し、係止部２２がロック部６１よりも上方に位置して係止部２２とロック部６１との係止が解除される。
【００２０】
第１ハウジング２０の上面には、ロックアーム２１の撓みを制限する位置（以下、撓み制限位置と称する）と、ロックアーム２１の撓みを許容する位置（以下、撓み許容位置と称する）とに移動可能とされたスライダ５０が組み付けられている。スライダ５０は、第１ハウジング２０に対して、図１に示すように、前端に寄った位置（撓み許容位置）と、図１３に示すように、後端に寄った位置（撓み制限位置）との間を前後方向にスライド移動する。なお、スライダ５０については、後ほど説明する。
【００２１】
第１ハウジング２０の上面には、図１４に示すように、撓み制限位置に配されたスライダ５０が、後方へ離脱することを防ぐ離脱防止部（離脱防止構造）３７が設けられている。離脱防止部３７は、ロックアーム２１の上面に突設されている。離脱防止部３７は、前後方向の寸法よりも左右方向の寸法が大きい壁状をなし、第１ハウジング２０（ロックアーム２１）の幅方向の略中心に位置している（図１３参照）。
【００２２】
また、離脱防止部３７は、ロックアーム２１の前端寄りの位置に設けられ、両ハウジング２０，６０の嵌合状態においては、第２ハウジング６０のロック部６１の真上に配される。離脱防止部３７の前面に、図１４に示すように、スライダ５０の離脱ストッパ部（離脱防止構造）５５が当接することで、スライダ５０の後方への移動（離脱）が制限される。
【００２３】
離脱防止部３７の左右方向における両端部には、スライダ５０を第１ハウジング２０に組み付ける際に、離脱ストッパ部５５が離脱防止部３７をスムーズに乗り越えるよう、乗り越え動作を案内するストッパ案内部３８が一対設けられている。一対のストッパ案内部３８は、離脱防止部３７の左右両側に連結されている。各ストッパ案内部３８の後面は、その後端から前方に向かって高さ寸法が少しずつ増す傾斜をなす案内面３９とされている。なお、ストッパ案内部３８の前端は、離脱防止部３７と同等の高さ寸法を有している。
【００２４】
第１ハウジング２０の上面（ロックアーム２１の上面）には、第１ハウジング２０に組み付けられたスライダ５０とロックアーム２１との間における上下方向（ロックアーム２１の撓み方向と平行な方向）の隙間を埋めるがた詰め部４６が設けられている。なお、がた詰め部４６については、後ほど詳しく説明する。
【００２５】
ロックアーム２１の脚部３３には、図１４に示すように、後述するスライダ５０の移動ストッパ部５６が前方に貫通可能な貫通孔４１が形成されている。貫通孔４１は、脚部３３の幅方向中央部に形成されている。貫通孔４１の前端側には、図２に示すように、撓み許容位置に配されたスライダ５０が、後方へ移動することを防ぐ移動防止部４２が設けられている。この移動防止部４２に対し、移動ストッパ部５６の前端に設けられた爪部５７が前方から係止することで、スライダ５０の後方への移動が制限される。
【００２６】
筒状部２４のうちロックアーム２１に対応する部分は開口しており、図６に示すように、ロックアーム２１の上面は筒状部２４の外側に露出している。
筒状部２４には、スライダ５０の前後方向の移動をガイドするガイド壁４３が設けられている。ガイド壁４３は、スライダ５０の両外側面に沿う形状をなし、筒状部２４の左右両側に一対が設けられている（図５参照）。一対のガイド壁４３の間の空間は、スライダ５０が前後方向に移動可能とされたガイド空間４４とされている。
【００２７】
ガイド壁４３のうち上側の部分(以下、第１ガイド部４３Ｆと称する）は、ロックアーム２１から若干側方に離れた位置に略垂直に立ち上げられている。また、ガイド壁４３のうち下側の部分（以下、第２ガイド部４３Ｓと称する）は、スライダ５０のバネ収容部５９の外形に沿う円弧形状をなしている。第２ガイド部４３Ｓは、図２に示すように、ハウジング本体部２３よりも後方に延びて形成されている。
【００２８】
ガイド空間４４の前端部には、図１に示すように、撓み許容位置に配されたスライダ５０の前面に突き当たって前止めする前止め部４５が設けられている。前止め部４５は、一対のガイド壁４３の前端部（第１ガイド部４３Ｆの前端部）を左右方向に連結する形態をなしている。
【００２９】
第２ハウジング６０は、同じく合成樹脂製であって、第１ハウジング２０のハウジング本体部２３に外嵌可能な筒状のフード部６２を有し、図２に示すように、その内部には雄型の端子金具（タブ６３）が突出して配置されている。
【００３０】
第２ハウジング６０には、第１ハウジング２０に設けられたロックアーム２１の係止部２２が係止可能なロック部６１が設けられている。ロック部６１は、フード部６２の外周面に突設されている。
【００３１】
なお、フード部６２の外周面には、ロック部６１を挟んだ幅方向両側に、一対のガイド突条６５が前後方向に延出して形成されている。ガイド突条６５は、両ハウジング２０，６０の嵌合時には、係止部２２の両側に差し込まれる。また、フード部６２の外周面には、幅方向の両側に一対の側方ガイド突条６４が前後方向に延出して形成されている。側方ガイド突条６４は、筒状部２４の内周面に形成された、図７に示すガイド溝２４Ｍに差し込まれる。
【００３２】
スライダ５０は合成樹脂製であって、図８に示すように、ロックアーム２１の一部分を上方に露出される開口部５２を有するスライダ本体部５１と、バネ部材５８が収容されたバネ収容部５９と、を有している。
【００３３】
スライダ本体部５１は、平面視、前後方向に長い長方形状をなしている（図８参照）。開口部５２は、スライダ本体部５１の略前半部分に上下方向に開口している。開口部５２は、全体として前後方向に若干長い長方形状をなしている。開口部５２の周縁部のうち前側の縁部（スライダ本体部５１の前端部）は、第１ハウジング２０の離脱防止部３７に対して前方から係止可能な離脱ストッパ部５５とされている。
【００３４】
また、スライダ本体部５１には、第１ハウジング２０の上面に設けられた後述するがた詰め部４６に乗り上がる部分（以下、乗り上げ部５３と称する）が設けられている。乗り上げ部５３は、開口部５２の前端両角部に一対が設けられている。一対の乗り上げ部５３は、図８に示すように、離脱ストッパ部５５の左右両側に位置している。乗り上げ部５３は、角張った形状をなして離脱ストッパ部５５よりも後側に張り出している。
【００３５】
スライダ本体部５１には、両ハウジング２０，６０の嵌合動作が完了するまでの間、図２に示すように、スライダ５０を撓み許容位置に保持して撓み制限位置への移動を制限する移動ストッパ部５６が設けられている。移動ストッパ部５６は、スライダ本体部５１の幅方向中央部から前方へ片持ち状に突出する形態をなし、上下方向に弾性的に撓み変形可能とされている（図１２参照）。移動ストッパ部５６の前端には、爪部５７が下向きに突出して形成され、スライダ５０が撓み許容位置にあるときに、爪部５７が移動防止部４２に引っ掛け係止される。
【００３６】
また、移動ストッパ部５６は、スライダ５０が撓み許容位置にあるときには、ロックアーム２１の解除操作部３５の押圧操作（下方への変位）が可能な形状をなしている（図２参照）。そして、移動ストッパ部５６は、スライダ５０が撓み制限位置にあるときには、ロックアーム２１の解除操作部３５の押圧操作を制限するものとされている（図１４参照）。
【００３７】
スライダ本体部５１の後端部には、スライダ５０を第１ハウジング２０に組み付ける際に、前方へ押し込み操作される押し込み操作部５４が設けられている。押し込み操作部５４は、スライダ本体部５１の上面に設けられ、後端から前方に向けて階段状に上る形状をなしている。押し込み操作部５４が前方へ押圧されることにより、スライダ５０が正規の組み付け位置（撓み許容位置）に向けて移動される。
【００３８】
押し込み操作部５４は、スライダ５０が撓み許容位置にあるときには、ロックアーム２１の解除操作部３５の上側に位置し、押し込み操作部５４を下向きに押圧することで、ロックアーム２１の解除操作部３５を下方に押圧可能とされている（図２参照）。また、押し込み操作部５４は、スライダ５０が撓み制限位置にあるときには、解除操作部３５よりも後側にずれて配される。
【００３９】
バネ部材５８は、圧縮コイルバネ等の周知のバネからなり、前後方向（軸方向）に弾性的に伸縮可能とされている。
バネ収容部５９は、図１０に示すように、スライダ本体部５１の下側に一対が設けられている。各バネ収容部５９は、内部にバネ部材５８を収容可能な略円筒状の形態をなしている。各バネ収容部５９には、バネ部材５８の前後両端を前後方向に支持する一対のバネ受け部５９Ｒが設けられている。
【００４０】
さて、第１ハウジング２０の上面には、図１に示すように、がた詰め部４６が設けられている。がた詰め部４６は、ロックアーム２１の上面に設けられている。がた詰め部４６は、ロックアーム２１の前端部であって係止部２２の近傍（一段後方にずれた位置）に設けられている（図３参照）。がた詰め部４６は、図１に示すように、離脱防止部３７の両側に一対が設けられ、各がた詰め部４６の前後方向の中心が離脱防止部３７と左右方向に並ぶように位置している。がた詰め部４６は、ガイド空間４４の前端部（第１ハウジング２０に対するスライダ５０の組み付け方向の前方に位置する部分）に設けられている。
【００４１】
各がた詰め部４６は、平面視、前後方向に若干長い長方形状をなし、その突出端面は平坦な面とされている。がた詰め部４６は、図３に示すように、ロックアーム２１の上面の他の部分よりもわずかに膨出した部分である。がた詰め部４６の外周縁部は、全周にわたり、外側に向かって少しずつ下がるなだらかな傾斜をなしている。一対のがた詰め部４６は同形状をなしている。
【００４２】
次に、第１ハウジング２０へのスライダ５０の組み付け作業の一例について説明する。
第１ハウジング２０のガイド空間４４に後方からスライダ５０を挿入する。スライダ５０の押し込み操作部５４に指を当ててスライダ５０を押し込むと、スライダ本体部５１の両側面が第１ガイド部４３Ｆに摺接し、バネ収容部５９の外周面が第２ガイド部４３Ｓに摺接しつつ、スライダ５０はガイド空間４４を前進する。やがて、スライダ本体部５１の離脱ストッパ部５６が、一対のストッパ案内部３８の案内面３９に到達し、その傾斜によって上方に変位して離脱防止部３７を乗り越え、その前側に至る。このとき、離脱ストッパ部５５の両側に設けられた乗り上げ部５３は、がた詰め部４６の上面に乗る。そして、スライダ５０をさらに押し込むと、乗り上げ部５３はがた詰め部４６の前方にずれ、スライダ５０は、正規の組み付け位置（撓み許容位置）に至る。このとき、スライダ本体部５１の前面が、第１ハウジング２０の前止め部４５に当接して、スライダ５０の前進が制限される。同時に、スライダ５０の移動ストッパ部５６の爪部５７が移動防止部４２に係止し、スライダ５０の後方への離脱が防止される（図２参照）。こうして、スライダ５０は、第１ハウジング２０に対して撓み許容位置に移動制限状態で保持される。
【００４３】
スライダ５０が撓み許容位置に保持されているときには、バネ部材５８は、その前後両端がバネ収容部５９のバネ受け部５９Ｒに支持されて伸長状態に保たれる。また、スライダ本体部５１の開口部５２を介してロックアーム２１の変位部３６の全体が上方に露出し、変位部３６は上方（ロック解除方向）に撓み可能とされる。
以上により、第１ハウジング２０へのスライダ５０の組み付け作業が完了する。
【００４４】
次に、コネクタＣの嵌合作業の一例について説明する。
スライダ５０が撓み許容位置に組み付けられた第１ハウジング２０の嵌合空間２５に、第２ハウジング６０のフード部６２を嵌合するようにして、両ハウジング２０，６０を接近させる。すると、図１１に示すように、第２ハウジング６０に設けられたバネ押圧部６６がバネ収容部５９に前方から進入し、バネ部材５８の前端部を押圧してバネ部材５８を前後方向に弾性的に圧縮させる。また、ロックアーム２１の係止部２２がロック部６１と接触し、脚部３３を支点として変位部３６が上方に撓み変形する。
【００４５】
そして、両ハウジング２０，６０が正規嵌合状態に至ると、ロックアーム２１の係止部２２がロック部６１を乗り越えてアーム本体部３４が弾性復帰し、係止部２２がロック部６１の前側に配されてロック部６１と前後方向に対向し、両ハウジング２０，６０が嵌合状態にロックされる。これにより、端子金具２７とタブ６３とが電気的に正規接続される。なお、両ハウジング２０，６０がロックされた状態では、ロックアーム２１の係止部２２は第２ハウジング６０の上面に当接している。
【００４６】
また、両ハウジング２０，６０が正規嵌合状態に至ると、図１２に示すように、フード部６２の前端が移動ストッパ部５６の前端に当接して、移動ストッパ部５６を上方へ撓み変形させる。これにより移動ストッパ部５６の爪部５７が移動防止部４２から離間してスライダ５０の移動制限が解除され、バネ部材５８に蓄勢された付勢力が解放されて、バネ部材５８が後方に伸長する。そして、バネ部材５８が伸長するのに伴い、スライダ５０の全体が後方へ移動する。スライダ５０の移動過程では、スライダ本体部５１の側面が第１ガイド部４３Ｆの内側面に、バネ収容部５９の外周面が第２ガイド部４３Ｓの内周面に摺動し、スライダ５０の移動動作が案内される。
【００４７】
この際、乗り上げ部５３が、がた詰め部４６の外周縁の傾斜によってスムーズにがた詰め部４６に乗り上がる（図１５参照）。これに伴い、スライダ５０は上方に変位し、図１６に示すように、バネ収容部５９が第２ガイド部４３Ｓの上面側に押し付けられて、第１ハウジング２０とスライダ５０との間で、スライダ５０の上側の隙間がなくなる。
【００４８】
また、図１４に示すように、離脱ストッパ部５５が、離脱防止部３７の前面側に当接し、スライダ５０の後方への離脱が防止される。このとき、バネ部材５８はほぼ自然状態に伸長する。こうして、スライダ５０は撓み制限位置に移動し、ロックアーム２１の上面側に配置された離脱ストッパ部５５および乗り上げ部５３によって、ロックアーム２１の撓み（変位部３６の上方への変位）が制限される。
以上により、コネクタＣの嵌合作業が完了する。
【００４９】
ところで、仮に、両ハウジング２０，６０が正規嵌合される前にその嵌合操作が停止された場合には、嵌合過程で蓄勢されたバネ部材５８の付勢力によって第２ハウジング６０が押し戻され、両ハウジング２０，６０が互いに離反する。これにより、両ハウジング２０，６０が正規嵌合していないことに作業者が気付くため、両ハウジング２０，６０が半嵌合状態のまま留め置かれることを防止できる。すなわち、スライダ５０は、ロック保持力を向上する機能のみならず、半嵌合を検知する機能を兼ね備えている。
【００５０】
また、メンテナンス等の事情により両ハウジング２０，６０を離間する場合には、スライダ５０の押し込み操作部５４を指で押圧して、スライダ５０を前方に押し込む。すると、バネ部材５８が弾性的に圧縮されて、第２ハウジング６０がバネ部材５８によって前方（第１ハウジング２０からの離脱方向）に押圧された状態となる。そして、スライダ５０の前進に伴ってロックアーム２１の変位部３６の上方からスライダ本体部５１が退避し、ロックアーム２１の撓み動作が許容される。その状態でスライダ５０の押し込み操作部５４を下方へ押圧すると、ロックアーム２１の解除操作部３５が押し込み操作部５４によって下方に押圧操作されてロックアーム２１の変位部３６が上方に持ち上がる。これにより、ロックアーム２１の係止部２２とロック部６１との係止が解除され、バネ部材５８の弾性復帰（伸長）による押圧力（付勢力）によって第２ハウジング６０が第１ハウジング２０から離反される。
【００５１】
次に、上記のように構成された実施例の作用および効果について説明する。
本実施例のコネクタＣは、互いに嵌合可能な一対のハウジング２０，６０のうち第１ハウジング２０に設けられたロックアーム２１が撓むことで、このロックアーム２１に設けられた係止部２２と第２ハウジング６０に設けられたロック部６１とが係止して両ハウジング２０，６０が嵌合状態に保持されるとともにロックアーム２１が撓むことで係止部２２とロック部６１との係止が外れて両ハウジング２０，６０が離脱可能となるロック機構を備えている。また、第１ハウジング２０には、ロックアーム２１の撓みを制限する位置と、ロックアーム２１の撓みを許容する位置とに移動可能とされたスライダ５０が組み付けられている。そして、コネクタＣには、スライダ５０とロックアーム２１との間における上下方向（ロックアーム２１の撓み方向と平行な方向）の隙間を埋めるがた詰め部４６が備えられている。この構成によれば、スライダ５０とロックアーム２１との間の隙間内においてロックアーム２１が撓むことが防がれるから、一対のハウジング２０，６０を確実に嵌合状態に保持することができる。
【００５２】
また、がた詰め部４６が、第１ハウジング２０のうちスライダ５０の組み付け方向の前方に位置する部分に設けられている。この構成によれば、第１ハウジング２０にスライダ５０を組み付ける際に、スライダ５０ががた詰め部４６に接触するのは終盤のみであるから、例えば組み付け作業において終始スライダが、がた詰め部に接触し続ける場合に比して、スライダ５０の組み付け作業が困難になることを防ぐことができる。
【００５３】
また、がた詰め部４６が、係止部２２とロック部６１とが係止する位置の近傍に設けられている。この構成によれば、係止部２２とロック部６１とが係止する位置の近傍においてロックアーム２１の撓み方向と平行な方向の隙間がなくなるから、ロックアーム２１が、係止部２２とロック部６１との係止が外れる方向に変位することをより確実に防ぐことができる。
【００５４】
また、スライダ５０は、第１ハウジング２０に対して後方から組み付けられるものとされ、スライダ５０と第１ハウジング２０とには、前後方向に係止することでスライダ５０が第１ハウジング２０から後方に離脱することを防ぐ離脱防止構造（離脱防止部３７および離脱ストッパ部５５）が設けられ、がた詰め部４６が、離脱防止部３７の側方に設けられている。ここで、例えばがた詰め部が離脱防止部の前側に設けられている場合には、スライダががた詰め部に乗り上がることによって浮き、ひいては離脱防止部から外れて離脱してしまう虞がある。しかしながら、本発明においては、がた詰め部４６が、離脱防止部３７の側方に設けられているから、そのような事態を防ぐことができる。
【００５５】
＜他の実施例＞
本発明は上記記述及び図面によって説明した実施例に限定されるものではなく、例えば次のような実施例も本発明の技術的範囲に含まれる。
（１）上記実施例では、がた詰め部４６は、離脱防止部３７の側方に一対が設けられているが、これに限らず、がた詰め部の個数または位置は、任意に設定することができる。
（２）上記実施例では、スライダ５０は、ロックアーム２１が設けられた第１ハウジング２０側に組み付けられているが、これに限らず、スライダは、ロック部が設けられた第２ハウジング側に組み付けられるものであってもよい。
（３）上記実施例では、がた詰め部４６は第１ハウジング２０に設けられているが、これに限らず、がた詰め部はスライダに設けられていてもよい。
（４）上記実施例では、がた詰め部４６は、第１ハウジング２０のうちスライダ５０の組み付け方向の前方に位置する部分に設けられているが、これに限らず、がた詰め部は、第１ハウジングのうちスライダの組み付け方向の中間または後方に位置する部分に設けられていてもよい。
（５）上記実施例では、がた詰め部４６は、ロックアーム２１の上面に設けられているが、これに限らず、例えば、がた詰め部は、スライダのバネ収容部の上面側に設けられて、スライダと第１ハウジングとの間の上下方向の隙間内においてスライダを下方に変位させ、スライダとロックアームとの間の上下方向の隙間を埋めるものであってもよい。
【符号の説明】
【００５６】
Ｃ…コネクタ
２０…第１ハウジング（一方のハウジング）
２１…ロックアーム
２２…係止部
３７…離脱防止部（離脱防止構造）
４６…がた詰め部
５０…スライダ
５５…離脱ストッパ部（離脱防止構造）
６０…第２ハウジング（他方のハウジング）
６１…ロック部
【図１】
2015201263.tif 000003
【図２】
2015201263.tif 000004
【図３】
2015201263.tif 000005
【図４】
2015201263.tif 000006
【図５】
2015201263.tif 000007
【図６】
2015201263.tif 000008
【図７】
2015201263.tif 000009
【図８】
2015201263.tif 000010
【図９】
2015201263.tif 000011
【図１０】
2015201263.tif 000012
【図１１】
2015201263.tif 000013
【図１２】
2015201263.tif 000014
【図１３】
2015201263.tif 000015
【図１４】
2015201263.tif 000016
【図１５】
2015201263.tif 000017
【図１６】
2015201263.tif 000018